(57)【特許請求の範囲】
【請求項１】
シェルの側壁においてその長手方向に延在し、長さ方向に移動可能に案内されたストライクと、シェルの外面において一部をストライクと重合するように配設され、一端をシェルに回動自在に支承されて他端部が跳ね上がることができるように設けられたレバーとを有し、このレバーの他端部の内面にかばん錠の掛け金機構を制御する施解錠部材を形成し、一方、ストライクの一端をシリンダ錠の内筒に連係させ、他端にレバーの施解錠部材と係脱可能に係合する係止部を形成し、解錠時、係止部が施解錠部材から離間する方向にストライクを移動させ、自由になった施解錠部材をレバーの跳ね上げによって掛け金機構から離間させることによりかばん錠を解錠するようにしたものにおいて、レバーに開口したその長さ方向に細長い表示窓の内側に、かばん錠の施錠又は解錠の状態を示す一対の表示をレバーの幅方向に連記したインジケータを同連記方向に移動可能に案内すると共に、インジケータの下面に係合突起を突設し、また、インジケータに外力が作用しない常態において、かばん錠の解錠状態を示す表示が表示窓に現われるようにインジケータを付勢し、一方、ストライクの他端部に、ストライクの長手方向に対して傾斜し、上記係合突起と摺接可能に係合するインジケータスライド孔を開口させ、施解錠時、インジケータスライド孔と係合突起との間に生じる楔作用によりインジケータをレバーの幅方向に移動させるようにしたことを特徴とするかばん錠の施解錠表示機構。
【発明の詳細な説明】
【０００１】
【発明の属する技術分野】
この発明は、かばん錠の施解錠表示機構（以下単に表示機構という）に係り、特にかばん錠の強度及び剛性を向上させることができる表示機構に関する。
【０００２】
【従来の技術】
一対のシェルの一端を蝶着し、他端に掛け金機構を設けた所謂トランク様のかばんは、通常、シリンダ錠及び掛け金制御機構を有するかばん錠を有し、また、このかばん錠が施錠されているか解錠されているかを表示する表示機構を備えている。
【０００３】
従来、この表示機構は、施錠及び解錠状態を例えば表示片の色の変化によって示していた。
【０００４】
しかしながら、色の変化によって施解錠の区別をする場合には、施錠、解錠時の色を記憶しておかなければならず、使い勝手が悪い。
【０００５】
そこで、近年、施錠及び解錠を例えば「ＬＯＣＫ」、「ＯＰＥＮ」の様に文字で表示する表示機構が用いられるようになり、このような表示機構は一目で施解錠状態が判り使い勝手が良い。
【０００６】
このように施解錠状態を文字で表示する表示機構は、表示が細長くなるので、通常「ＬＯＣＫ」、「ＯＰＥＮ」の表示を幅方向に連記した表示片を用い、この表示片を表示の幅方向に駆動する。
【０００７】
例えば、図１に示すように、かばん錠のフレーム１に、円柱体の一部をなし、その外周面に「ＬＯＣＫ」、「ＯＰＥＮ」の文字を幅方向に連記したインジケータ２を支軸３により回動可能に軸支し、同時に図示しない捩りばねにより図１で矢印方向に付勢する。
【０００８】
一方、かばん錠のシリンダ錠の内筒に連係され、施解錠時長手方向に移動するストライク４の先端部に駆動片５を切り起こし、これをインジケータ２と一体の従動片２ａに係合させる。
【０００９】
上記した構成により、施錠時ストライク４は付勢力に抗してインジケータ２を矢印とは反対方向に回動させ、このときインジケータに表示された「ＬＯＣＫ」という表示がフレーム１に開口した表示窓６に臨むので、その表示を見て瞬時にかばん錠が施錠されていることが判る。
【００１０】
同様にして、解錠時にはストライク４がインジケータ２から離間する方向に移動し、表示窓６に「ＯＰＥＮ」という表示が現われる。
【００１１】
【発明が解決しようとする課題】
上記した従来の表示機構は、文字で施、解錠状態を表示するので使い勝手は良いが、インジケータ２の表示の長手方向がフレーム１の幅方向に一致するので、換言すれば表示窓６がフレーム１の幅方向に長く開口するので、この表示窓部分の強度及び剛性が低下する、という不都合がある。
【００１２】
通常、フレーム１の長手方向において表示窓６と支軸３の支持孔（付番せず）が一致するので、フレーム１の強度及び剛性の低下の程度が増大する。
【００１３】
この発明は、文字で施解錠の表示をするので使い勝手が良く、しかもかばん錠の強度及び剛性を低下させることが無い表示機構を提供することを目的としている。
【００１４】
【課題を解決するための手段】
上記の目的を達成するため、この発明は、シェルの側壁においてその長手方向に延在し、長さ方向に移動可能に案内されたストライクと、シェルの外面において一部をストライクと重合するように配設され、一端をシェルに回動自在に支承されて他端部が跳ね上がることができるように設けられたレバーとを有し、このレバーの他端部の内面にかばん錠の掛け金機構を制御する施解錠部材を形成し、一方、ストライクの一端をシリンダ錠の内筒に連係させ、他端にレバーの施解錠部材と係脱可能に係合する係止部を形成し、解錠時、係止部が施解錠部材から離間する方向にストライクを移動させ、自由になった施解錠部材をレバーの跳ね上げによって掛け金機構から離間させることによりかばん錠を解錠するようにしたものにおいて、レバーに開口したその長さ方向に細長い表示窓の内側に、かばん錠の施錠又は解錠の状態を示す一対の表示をレバーの幅方向に連記したインジケータを同連記方向に移動可能に案内すると共に、インジケータの下面に係合突起を突設し、また、インジケータに外力が作用しない常態において、かばん錠の解錠状態を示す表示が表示窓に現われるようにインジケータを付勢し、一方、ストライクの他端部に、ストライクの長手方向に対して傾斜し、上記係合突起と摺接可能に係合するインジケータスライド孔を開口させ、施解錠操作時、インジケータスライド孔と係合突起との間に生じる楔作用によりインジケータをレバーの幅方向に移動させるようにしたことを特徴とする。
【００１５】
【発明の実施の形態】
以下、この発明の実施例を図２乃至図１３を参照して説明する。
図２及び図３はこの発明による表示機構を備えたかばん錠の正面から見て例えば右側のレバーユニットを示し、これらの図において符号７は取付片７ａを介してシェルの側壁８（図４参照）に取付けられるケースである。
【００１６】
このケース７の上面には、一端（図２乃至図６で左端）を回動自在に支承されたレバー９が設けられている。
【００１７】
一方、ケース７にはシェルの側壁８の長さ方向に沿って延在するストライク４がその長さ方向に移動可能に案内されており、このストライク４は、一端（図２で左端）に開口した係合孔１１と係合する図示しない連結レバーを介して、これも図示しないシリンダ錠の内筒に連係されている。
【００１８】
そして、かばん錠が施錠されているときには、図２乃至図４に示すように、ストライク４はこれらの図において右方に移動しており、図７に示すように、ストライク４の他端に開口したＴ字形の穴を有する係止部１２が、レバー９の他端部内面に一体に突設された全体の形状がＴ字形の施解錠部材１３（図４及び図７参照）と係合して、レバー９がケース７上に伏せる施錠状態を保っている。
【００１９】
かばん錠を解錠するため図示しない合鍵によりシリンダ錠を解錠すると、内筒が回動して図示しない連結レバーがストライク４をケース７から離間する方向に引く。
【００２０】
するとストライク４は図５に示すように左方に一定距離移動し、図７から明らかなように、係止部１２と施解錠部材１３との係合が外れる。
【００２１】
この状態でレバー９の他端の係止ラッチ１４を指で押込むと、係止ラッチ１４とケース７との係合が外れ、図６に示すように、レバー９を跳ね上げることができるようになる。
【００２２】
レバー９を跳ね上げると、図６から明らかなように、施解錠部材１３と、ケース７内において左右に移動可能に収納された図示しないカマと称される施錠部材との係合が外れ、シェルを開くことができるようになる。
【００２３】
なお、施解錠部材と掛け金機構との構成及び関連は、この発明の要旨ではないので、更に詳細な説明は省略する。
【００２４】
次に本発明による表示機構の構成について述べると、図２に示すように、レバー９の表面のほぼ中央にはレバー９の長さ方向に細長い表示窓６が開口している。
【００２５】
この表示窓６には例えば薄い透明なカバー板（付番せず）が嵌め込まれていて、このカバー板を通して内部のインジケータの表示を視認できるようになっている。
【００２６】
この表示窓６の内側におけるレバー９は肉が盗まれて空洞になっており、この空洞部を蓋板１５が覆っているので、表示窓の内側には箱状の空間が形成されており、この空間内にインジケータ２が収納されている。
【００２７】
このインジケータ２は、図８に示すように、外形が略矩形の厚板状で、その表示窓６に対向する上面には、解錠状態を示す「ＯＰＥＮ」という表示と、施錠状態をを示す「ＬＯＣＫ」という細長い表示が幅方向に連記されている。
【００２８】
そして、このインジケータ２は、「ＬＯＣＫ」又は「ＯＰＥＮ」という細長い表示がレバー９の長さ方向に沿うようにレバー９内に収納され、その幅方向、すなわち図８（Ｂ）において左右方向に移動可能に案内されている。
【００２９】
また、インジケータ２の下面側、すなわち表示部分の裏側には、図８に示すように、断面平行四辺形形の係合突起１６が突設されている。
【００３０】
この係合突起１６は、蓋板１５に開口した図示しない挿通孔を通じて、ストライク４に向かって突出している。
【００３１】
更にまた、インジケータ２が収納されたレバー９内の空洞の側壁とインジケータ２との間には、図９及び図１０に示すように、圧縮コイルばねとしてのインジケータばね１７が弾装されており、このインジケータばね１７の弾力により、インジケータ２は図９及び図１０で下方、すなわちインジケータ２の「ＯＰＥＮ」という表示が表示窓６に現われる方向に付勢されている。
【００３２】
一方、図７に示すように、ストライク４の他端部には、前記係止部１２に隣接して、インジケータスライド孔１８が開口している。
【００３３】
このインジケータスライド孔１８は、ストライク４の長手方向に対し例えば４５度傾斜した長孔で、上記係合突起１６と摺動可能に係合できる幅を有すると共に、係合突起１６と係合できる位置に形成されている。
【００３４】
上記のように構成されたこの発明による表示機構は、図６に示すように跳ね上げられたレバー９を図５に示すようにケース７上に倒すと、図１０に示すように係合突起１６がストライク４に開口したインジケータスライド孔１８の一端に係合する。
【００３５】
この状態では、前記したように、インジケータ２の「ＯＰＥＮ」という表示が表示窓６と整合する。
【００３６】
かばん錠を施錠すると、その施錠操作時ストライク４が図１０で右方に移動し、インジケータスライド孔１８とインジケータの係合突起１６との間に生じる楔作用により、インジケータ２はインジケータばね１７の弾力に抗して図１０で上方に移動し、図９の施錠表示状態に致る。
【００３７】
このときには、インジケータ２の「ＬＯＣＫ」という表示が表示窓６と整合する。
【００３８】
これとは反対に、解錠時には図９の状態から図１０の状態に移行する。
【００３９】
【発明の効果】
以上の説明から明らかなように、この発明は、かばん錠の施解錠状態を示すインジケータの表示をレバーの長さ方向に沿うように設け、その幅方向に連記すると共に、インジケータを表示の幅方向に移動するようにしたので、表示窓のレバーの幅方向の寸法を小さくすることができ、従ってかばん錠の強度及び剛性の向上を期待できる、という初期の効果を奏する。
【図面の簡単な説明】
【図１】従来の表示機構の構成の一例を構成部材を分解して示す斜視図。
【図２】この発明の一実施例による表示機構を備えたレバーユニットの平面図で施錠状態を示す。
【図３】その正面図。
【図４】その縦断面図。
【図５】図４と同様のレバーユニットの縦断面図で、解錠状態を示す。
【図６】レバーを跳ね上げた状態を示す図５と同様のレバーユニットの縦断面図。
【図７】ストライクの一部を示す平面図。
【図８】インジケータの構造を示す図面で、その内（Ａ）は側面図、（Ｂ）は平面図、（Ｃ）は下面図である。
【図９】インジケータとストライクとの関連を示す一部断面平面図で、施錠状態を示す。
【図１０】インジケータとストライクとの関連を示す一部断面平面図で、解錠状態を示す。
【符号の説明】
２  インジケータ
４  ストライク
６  表示窓
９  レバー
１６  係合突起
１７  インジケータばね
１８  インジケータスライド孔
【図１】
0004129321.tif 000002
【図２】
0004129321.tif 000003
【図３】
0004129321.tif 000004
【図４】
0004129321.tif 000005
【図５】
0004129321.tif 000006
【図６】
0004129321.tif 000007
【図７】
0004129321.tif 000008
【図８】
0004129321.tif 000009
【図９】
0004129321.tif 000010
【図１０】
0004129321.tif 000011